(57)【要約】【課題】  ハウジング内で移動するシャッタユニットに電気接続するためのフレキシブル基板を有する撮像モジュールの小型化を実現する。【解決手段】  ハウジング部１１内に組み込んだ光軸方向に移動するレンズ２２と一体にシャッタユニット６を有し、シャッタユニット６に電気接続したフレキシブル回路基板６２のリボン部６２１をシャッタユニット６の後側に沿って光軸方向に湾曲した状態で延設して外部に電気接続する。シャッタユニット６を光軸方向に移動させたときに、リボン部６２１は曲率がほぼ一定で折り曲げられないのでリボン部６２１を変形する力は少なく、シャッタユニット６を移動させる駆動モータ７の負荷を小さくし、小型のモータが使用でき低消費電力になる。リボン部６２１の変形を行うためにハウジング部１１内に凹部空間を確保する必要がなく、ハウジングの外形寸法を小型化する。【選択図】  図５
2007033699.tif 000002
【特許請求の範囲】
【請求項１】
ハウジングにレンズ及び撮像素子を組み込み、前記レンズを光軸方向に移動可能とし、かつ前記レンズと一体にシャッタユニットを有する撮像モジュールにおいて、前記シャッタユニットと外部回路基板とを電気接続するためのフレキシブル回路基板を前記シャッタユニットの前側又は後側に沿って光軸方向に湾曲した状態で延設したことを特徴とする撮像モジュール。
【請求項２】
前記フレキシブル回路基板は細長いリボン状に形成され、その一端が前記シャッタユニットの一部に接続され、その接続部から前記シャッタユニットの前側又は後側に沿って光軸方向に湾曲され、他端が前記ハウジングに配設した前記外部回路基板に接続されていることを特徴とする請求項１に記載の撮像モジュール。
【請求項３】
前記ハウジングの前記撮像素子を取着する壁面に設けられた撮像窓の一辺部を内側から凹ませて薄肉に形成するとともに、当該撮像窓にはマスク枠を介して前記撮像素子のフィルタを取着していることを特徴とする請求項１又は２に記載の撮像モジュール。
【請求項４】
前記マスク枠は、前記薄肉に形成された一辺部に対応する辺を曲げ加工した曲げ片を備えることを特徴とする請求項３に記載の撮像モジュール。
【請求項５】
前記ハウジングの前記フレキシブル回路基板が接触する領域には逃げ窓が開口され、当該逃げ窓には前記フレキシブル回路基板が接触したときに滑動し易い表面処理が施された蓋板が取着されていることを特徴とする請求項１ないし４のいずれかに記載の撮像モジュール。
【請求項６】
前記ハウンジグは樹脂成型により形成された樹脂ハウジング部と、金属材で形成された金属ハウジング部とで構成され、前記金属ハウジング部に前記レンズを駆動するための駆動モータを取着したことを特徴とする請求項１ないし５のいずれかに記載の撮像モジュール。
【請求項７】
前記レンズは前記ハウジング内で光軸方向に移動される少なくとも２つのレンズで構成され、前記金属ハウジング部には前記２つのレンズをそれぞれ光軸方向に移動させるための２つの駆動モータが並んで取着されていることを特徴とする請求項６に記載の撮像モジュール。
【請求項８】
前記樹脂ハウジング部には金属材で形成された固定座が固定されており、前記金属ハウジング部は前記固定座に対してネジにより固定されていることを特徴とする請求項６又は７に記載の撮像モジュール。
【発明の詳細な説明】
【技術分野】
【０００１】
本発明はレンズ及び撮像素子を具備し、デジタルカメラや携帯電話機に一体化されたカメラ等においてデジタル画像を撮像するための撮像モジュールに関し、特にレンズを光軸方向に移動して焦点距離を変化させるズーム機能や自動的に焦点合わせを行うＡＦ（自動焦点）機能等を備えさせることが可能な撮像モジュールに関するものである。
【背景技術】
【０００２】
デジタル画像を撮像するための撮像モジュールとして従来から種々の撮像モジュールが提案されている。この種の撮像モジュールは被写体を光学的に結像するためのレンズと、レンズで結像された被写体像を電気信号に変換するためのＣＣＤ素子等の撮像素子を搭載した構成となっている。また、このような撮像モジュールにおいて、撮影焦点距離を変化させるズーム機能及びＡＦ機能を備えた撮像モジュールではレンズを光軸方向に移動させる構成がとられているが、これと同時にシャッタユニットをレンズと共に光軸方向に移動させる必要がある。シャッタユニットは電気信号により開閉動作する機械シャッタで構成されているため、シャッタユニットに対してはシャッタユニットの移動に追従して変形が容易なフレキシブル基板を用いて電気接続を行っている。
【０００３】
例えば、特許文献１のレンズ鏡筒はレンズ沈胴型カメラに関する技術であるが、機械シャッタで構成されるシャッタユニットをレンズと共に光軸方向に移動させる点では前述の撮像モジュールと同じであり、シャッタユニットの移動に追従するためにシャッタユニットにフレキシブル基板を接続した構成を採用している。フレキシブル基板は板厚方向に変形が容易であるため、シャッタユニットをフレキシブル基板を用いてカメラ本体側の回路基板に電気接続することで、シャッタユニットが移動された場合でもフレキシブル基板が撓むことで両者間での電気接続状態を保持することが可能である。
【特許文献１】特開２００４−３３４１０１号公報
【０００４】
このようなシャッタユニットをフレキシブル基板により電気接続したレンズ鏡筒では、フレキシブル基板が撓んだときに撓んだ部分がレンズの光路内に進入して被写体像のケラレが生じることがないように撓みを規制することが必要である。そのため特許文献１ではレンズ鏡筒の一側部にフレキシブル基板の撓み部分を収納する凹部空間を設け、レンズ鏡筒が沈胴してフレキシブル基板が撓んだときに、当該撓んだ部分はレンズの光路から外れた凹部空間内に退避され、被写体像のケラレを防止することができる。
【発明の開示】
【発明が解決しようとする課題】
【０００５】
引用文献１の技術はレンズ鏡筒の外部に凹部空間を設けているため、この凹部空間を確保するためにレンズ鏡筒の外径寸法が大きくなり、小型化を図る上での障害になる。特に、近年のデジタルカメラや携帯電話機に一体化したカメラに用いる撮像モジュールは小型化が要求されているため、レンズ鏡筒の外径寸法が大きくなる特許文献１の構造を採用することは難しい。また、特許文献１の技術はフレキシブル基板が撓んだときに折り曲げる構成であるため、折れ曲がり部分での抵抗が大きくなり、この際の抵抗力がそのままシャッタユニットを光軸方向に移動させる際の負荷となり、駆動モータを含めてレンズ及びシャッタユニットの移動機構を小型化する上での障害になる。さらに、フレキシブル基板が撓む際にレンズ鏡筒の内面と接触し易いため、この接触した部分での摩擦力によってもシャッタユニットを移動させる際の負荷を増大することになる。
【０００６】
本発明の目的は、フレキシブル基板を用いた撮像モジュールの小型化を実現するものである。
【課題を解決するための手段】
【０００７】
本発明は、ハウジングにレンズ及び撮像素子を組み込み、当該レンズを光軸方向に移動可能とし、かつレンズと一体にシャッタユニットを有する撮像モジュールにおいて、シャッタユニットと外部回路基板とを電気接続するためのフレキシブル回路基板をシャッタユニットの前側又は後側に沿って光軸方向に湾曲した状態で延設したことを特徴とする。フレキシブル回路基板は細長いリボン状に形成され、その一端がシャッタユニットの一部に接続され、その接続部からシャッタユニットの前側又は後側に沿って光軸方向に湾曲され、他端がハウジングに配設した外部回路基板に接続される構成とする。
【０００８】
また、本発明は次のように構成することが好ましい。
（ａ）ハウジングの撮像素子を取着する壁面に設けられた撮像窓の一辺部を内側から凹ませて薄肉に形成するとともに、当該撮像窓にはマスク枠を介して撮像素子のフィルタを取着する。この場合において、マスク枠は薄肉に形成された一辺部に対応する辺を曲げ加工した曲げ片を備えることが好ましい。
（ｂ）ハウジングのフレキシブル回路基板が接触する領域には逃げ窓が開口され、当該逃げ窓にはフレキシブル回路基板が接触したときに滑動し易い表面処理が施された蓋板が取着されることが好ましい。
（ｃ）ハウンジグは樹脂成型により形成された樹脂ハウジング部と、金属材で形成された金属ハウジング部とで構成され、金属ハウジング部にレンズを駆動するための駆動モータを取着する。この場合において、レンズはハウジング内で光軸方向に移動される少なくとも２つのレンズで構成され、金属ハウジング部には２つのレンズをそれぞれ光軸方向に移動させるための２つの駆動モータが並んで取着される。
（ｄ）樹脂ハウジング部には金属材で形成された固定座が固定されており、金属ハウジング部は固定座に対してネジにより固定される構成とする。
【発明の効果】
【０００９】
本発明によれば、レンズと共にシャッタユニットを移動させたときに、光軸方向に緩やかな曲率で板厚方向に湾曲されているフレキシブル回路基板のリボン状の部分は当該曲率がほぼ一定の状態で変形されるのみであり、フレキシブル回路基板が折り曲げられる状態になることはなく、フレキシブル回路基板を変形するための力は少なくて済み、シャッタユニットを移動させるための駆動モータの負荷が増大することはなく、小型のモータが使用でき低消費電力になる。また、フレキシブル回路基板の変形を可能とするためにハウジングの側面領域に凹部空間を確保する必要がなく、ハウジングの外形寸法が増大することはない。さらに、シャッタユニットが移動してフレキシブル回路基板が外側に湾曲してハウジングの内面に接触した場合でも、この部分には内面を円滑処理した蓋板が取着されているのでフレキシブル回路基板の変形を円滑に行うとともに、磨耗等によってフレキシブル回路基板及びその回路パターンがダメージを受けることもない。さらに、シャッタユニットが移動したときにフレキシブル回路基板の一部がハウジングの撮像素子構体を取着した後側の内面に接触する状態となるが、この部分は薄肉に形成しているためフレキシブル回路基板と当該内面との接触を防止し、変形を容易なものとする。この場合、撮像素子のフィルタをマスク枠を利用してハウジングに固定することで、当該フィルタを正確な位置にかつ必要とされる強度で固定することができる。さらに、ハウジングの一部を樹脂ハウジング部で構成し、他の一部を金属ハウジング部で構成することで、ハウジング全体の軽量化を図る一方で必要な強度を確保することも可能になる。
【実施例１】
【００１０】
次に、本発明の実施例を図面を参照して説明する。図１は本発明の撮像モジュールの一部を分解した外観図であり、箱型をしたハウジング１の前面側の端面にレンズ窓１ａが開口され、ハウジング１１内に内装された詳細を後述するレンズ光学系２によって被写体を結像する。また、前記ハウジング１の反対側の後面側の端面にはフレキシブルな第１の回路基板３に搭載された撮像素子５が当該第１の回路基板３によって装着され、前記レンズ光学系２で結像した被写体像を撮像して得られる電気信号を第１の回路基板３を通して外部に出力するようになっている。また、前記ハウジング１の上面から図示手前側の側面にわたる領域を覆うように本発明の外部回路基板としてのフレキシブルな第２の回路基板４が配設されており、この第２の回路基板４には前記レンズ光学系２のズーミングや合焦のために駆動するための後述する駆動モータ７，８やシャッタユニット６に対する電気接続を行うための電気回路が構成され、かつ各種電子部品４１や接続端子４２，４３等が搭載されている。
【００１１】
図２は前記撮像モジュールの部分分解斜視図、図３は光軸に沿った水平方向の断面図である。前記ハウジング１は長手方向の一方の端面とこれに隣接する側面が開口されて断面形状がコ字型となるように成型された樹脂ハウジング部１１と、前記樹脂ハウジング部１１の開口された面を覆うようにＬ字型に曲げ形成された金属ハウジング部１２とを備えており、両ハウジング部１１，１２をネジ１３により締結して前記ハウジング１を構成している。前記金属ハウジング部１２の端面には前記レンズ窓１ａが開口されている。また、前記金属ハウジング部１２と樹脂ハウジング部１１をネジ１３で締結するために、アルミニウム合金等でダイキャスト成型したほぼ半円弧状の固定座１４を別部材として設けており、この固定座１４を樹脂ハウジング部１１の前端部に上下方向からネジ１３で固定する一方、前記固定座１４に対して金属ハウジング部１２を前面方向からネジ１３で固定する。これによりネジ１３による両者の締結強度を高めている。また、前記金属ハウジング部１２をネジ１３で固定する際に、金属ハウジング部１２の前面にフィルタ枠１５を配設し、金属ハウジング部１２に一体的に固定している。このフィルタ枠１５の矩形窓内には保護フィルタや赤外フィルタ等が配設される。
【００１２】
前記ハウジング１内には長手方向、すなわち光軸方向に沿って３本のガイドシャフト１６が平行に延設され、これらのガイドシャフト１６に前記レンズ光学系２を構成する光軸を一致させた第１のレンズ２１と第２のレンズ２２が光軸方向に移動可能に支持されている。これら第１のレンズ２１と第２のレンズ２２はそれぞれレンズ枠にレンズが支持された構成であるが、ここではこれらの構成体を第１のレンズ２１、第２のレンズ２２と称しており、各レンズ枠に設けられたガイド片２１３，２２３がそれぞれガイドシャフト１６を挟持した状態に嵌挿される。また、これらのレンズ２１，２２は前記ガイドシャフト１６に嵌挿したスプリング１７によってそれぞれ前面方向への付勢力が付与されている。ここで、前記第２レンズ２２には電子制御される機械シャッタで構成されるシャッタユニット６が補助板６１と共にネジ６２により一体的に固定され、当該シャッタユニット６は第２レンズ２２と共に移動可能とされている。前記シャッタユニット６には詳細を後述するフレキシブル回路基板６３が一体に設けられている。
【００１３】
前記金属ハウジング部１２の側面にはステッピングモータで構成される第１及び第２の２つの駆動モータ７，８が並んで固定されている。図４は金属ハウジング部１２を内面方向から見た斜視図であり、各駆動モータ７，８の回転出力軸はそれぞれ光軸方向に沿って延設されたスクリューボルト７１，８１として構成されている。各スクリュボルト７１，８１には従動ナット７２，８２が螺合されており、駆動モータ７，８によって軸転されたときには各従動ナット７２，８２はスクリュボルト７１，８１上で光軸方向に移動される。前記各従動ナット７２，８２は前記第１のレンズ２１と第２のレンズ２２の各レンズ枠に一体に形成された係合片２１１，２２１に対して光軸方向に一体となるように係合されており、各従動ナット７２，８２が移動されたときにはそれぞれ第の１レンズ２１、第２のレンズ２２を光軸方向に移動させる。
【００１４】
また、前記樹脂ハウジング部１１の上面の一部と前記金属ハウジング部１２の側面の一部にはそれぞれ矩形窓１１１，１２１が開口され、それぞれフォトインタラプタ９１，９２が嵌入支持されている。なお、金属ハウジング部１２では樹脂製の保持枠９３を介してフォトインタラプタ９２が矩形窓１２１に嵌入支持されている。金属ハウジング部１２に支持されたフォトインタラプタ９２は前記第の１レンズ２１に設けられた検出片２１２と協動して第１のレンズ２１の光軸方向の特定位置を検出する。また、樹脂ハウジング部１１に支持されたフォトインタラプタ９１は前記第２のレンズ２２と一体的に取着された前記補助片６１に設けられた検出片６１１と協動して第２のレンズ２２の光軸方向の特定位置を検出する。
【００１５】
前記２つの駆動モータ７，８と２つのフォトインタラプタ９１，９２はそれぞれハウジング１の外面に配設されている前記第２の回路基板（図１参照）４に電気接続される。また、同時に前記シャッタユニット６はフレキシブル回路基板６２を介して当該第２の回路基板４の接続端子４３に電気接続される。図５は前記樹脂ハウジング部１１を除いたハウジング１の内部構造を左下方から見た斜視図であり、前記シャッタユニット６の一面にはフレキシブル回路基板６２が一体に設けられており、このフレキシブル回路基板６２の下端部からはハウジング１の光軸中心を外れてレンズ光学系２の光路と干渉することがないように細長いリボン部６２１が延長されている。このフレキシブル回路基板６２のリボン部６２１は先端側がシャッタユニット６の下端部から後方に曲げられ、樹脂ハウジング部１１の下側面に開口された光軸方向に細長い下側逃げ窓１１２に沿って後側の上方に向けて緩やかな曲率で板厚方向に湾曲され、シャッタユニット６の後面側を通った後、先端部６２２がシャッタユニット６の上側を通り、前記樹脂ハウジング部１１の上側面に開口された光軸方向に細長い上側逃げ窓１１３に臨まされ、この上側逃げ窓１１３を挿通した上で前記第２の回路基板４の接続端子４３に機械的及び電気的に接続されている。前記上側及び下側の各逃げ窓１１３，１１２の外側にはそれぞれ内面を円滑処理した蓋板１１４，１１５が接着等によって固定され、当該逃げ窓１１２，１１３を塞いでいる。
【００１６】
図６にハウジング１を後面側から見た部分分解斜視図を示すように、前記樹脂ハウジング部１の後側の端面には矩形の撮像窓１１６が開口され、この撮像窓１１６の内側に前記第１及び第２のレンズ２１，２２と同軸の第３のレンズ２３（図３参照）が取着されている。また、前記撮像窓１１６の背後には前述のように撮像素子５が取着されている。撮像素子５は図１に示したように第１の回路基板３に搭載されており、撮像素子５の前面側にはゴム製又は柔軟な樹脂製の矩形枠状をしたフィルタ保持枠５１と、同様に矩形の枠状をした金属製のマスク枠５２とによってＬＰＦ（ローパスフィルタ）５３をこれらで挟むようにして固定される。前記フィルタ保持枠５１はパッキンとして機能するものであり、ＬＰＦ５３をマスク枠５２に対して押さえ込み、その上でフィルタ保持枠５１の外側から撮像素子５が取着される。この撮像素子５は内部にＣＣＤ等の撮像素子を搭載してパッケージ化されたものであり、第１の回路基板３を補強板３１と共に樹脂ハウジング部１１の後面にネジ３２により固定することで、撮像素子５がハウジング１に固定される。第１の回路基板３は図には表れないカメラの制御回路に電気接続される。
【００１７】
ここで、図３の断面図からもわかるように、前記撮像窓１１６は前記シャッタユニット６に接続されているフレキシブル回路基板６２のリボン部６２１に対向する領域の内面を厚さ方向に後退させて薄肉に形成しており、そのため前記撮像窓１１６の窓枠の一辺部１１６ａが薄肉に形成された状態となっている。前記マスク枠５２は視野範囲外の光がＬＰＦ５３を透過することを防止するためのものであるが、このマスク枠５２の一辺部５２１によって前記撮像窓１１６の窓枠の薄肉の一辺部１１６ａにおいて窓枠を構成している。また、このマスク枠５２の当該一辺部５２１は長さ方向に沿って板厚方向にほぼ直角に曲げ加工した曲げ片５２２が構成されており、この曲げ片５２２がＬＰＦ５３の一辺に当接するストッパとして構成されている。
【００１８】
以上の撮像モジュールの概略動作を説明すると、ハウジング１の前面のレンズ窓１ａを通してレンズ光学系２により被写体像を結像すると、結像した被写体像はＬＰＦ５３を通して撮像素子５の撮像面に結像され、撮像素子５において光電変換が行われて第１の回路基板３を通して撮像信号が出力される。このとき、シャッタユニット６に電気信号を供給してシャッタを開閉制御することで撮像素子５における電荷蓄積時間が制御でき、撮像信号の取込みが可能になる。また、第１と第２の駆動モータ７，８が駆動されてスクリュロッド７１，８１が軸転されると、各従動ナット７２，８２が光軸方向に移動され、これとともに第１のレンズ２１と第２のレンズ２２が光軸方向に移動される。各駆動モータ７，８を制御して第１のレンズ２１と第２のレンズ２２を所定の光軸方向の位置に位置制御することでレンズ光学系２における焦点距離を変化させてズーム動作を行うことが可能になる。また、同時にＡＦ制御が可能になる。このとき、第１のレンズ２１と第２のレンズ２２は各レンズにおける検出片２１２，６１１をフォトインタラプタ９１，９２において検出することで各レンズ２１，２２に付いて予め設定している特定位置、すなわち初期位置を検出し、各レンズ２１，２２の正確な光軸方向位置の制御、すなわち正確なズーム倍率及びＡＦ制御が可能になる。
【００１９】
第２のレンズ２２を光軸方向に移動すると、第２のレンズ２２に一体化されているシャッタユニット６も光軸方向に移動する。このとき、フレキシブル回路基板６２のリボン部６２１は光軸方向に緩やかな曲率で板厚方向に湾曲されているので、シャッタユニット６の移動によってもほぼ同じ曲率での状態が保持される。すなわち、図７（ａ）のようにシャッタユニット６が光軸方向の前方に移動した場合でも、図７（ｂ）のように後方に移動した場合でも湾曲した部分の曲率はほぼ同じである。そのため、リボン部６２１は曲率半径が極めて小さい状態で湾曲されることはなく、換言すればリボン部６２１の一部が折り曲げられる状態になることはなく、当該リボン部６２１、すなわちフレキシブル回路基板６２を変形するための力は少なくて済み、シャッタユニット６及び第２のレンズ２２を光軸方向に移動させるための力が少なくて済むことになる。したがって、シャッタユニット６と第２のレンズ２２を移動させる第２の駆動モータ８の負荷が増大することはなく、小型のモータが使用でき低消費電力になる。
【００２０】
また、フレキシブル回路基板６２のリボン部６２１の変形を行うために特許文献１のような凹部空間をハウジングの側面領域に確保する必要がないため、ハウジング１の外形寸法が増大することはない。さらに、シャッタユニット６及び第２のレンズ２２が前後方向に移動したときにリボン部６２１が外側に湾曲して一部が樹脂ハウジング部１１の上側の内面に接触する状態となるが、このときリボン部６２１は樹脂ハウジング部１１内において下側逃げ窓１１２と上側逃げ窓１１３において円滑処理されている蓋板１１４，１１５のそれぞれの内面に摺接されるため、リボン部６２１が移動する際の摩擦力が小さくなり、リボン部６２１の変形を円滑に行うとともに、磨耗等によってリボン部６２１やフレキシブル回路基板６２に形成されている回路パターンがダメージを受けることもない。さらに、シャッタユニット６と第２のレンズが後方に移動したときにリボン部６２１が樹脂ハウジング部１１の光軸方向の後側端面の内面に接触する状態となるが、この部分では撮像窓１１６の１辺部１１６ａが薄肉に形成されているためリボン部６２１が樹脂ハウジング部１１の内面に干渉することもなく、リボン部６２１の変形を容易なものとする。
【００２１】
なお、前述のように樹脂ハウジング部１１の後側端面の撮像窓１１６の一辺部１１６ａは薄肉に形成されているが、この部分にはマスク枠５２の一辺部５２１が存在しているため、撮像窓１１６を画成し、ＬＰＦ５３を撮像窓１１６に対して正しく固定することができる。また、マスク枠５２の一辺部５２１にストッバとしての曲げ辺５２２を設けることで、当該マスク枠５２の機械的な強度を高め、ＬＰＦ５３の安定した固定が可能になる。さらに、その後面側に取着するフィルタ保持枠５１や撮像素子５を樹脂ハウジング部１１に対して高い信頼度で固定することが可能になる。
【００２２】
また、実施例では、ハウジング１を樹脂ハウジング部１１と金属ハウジング部１２とで構成しており、特にハウジングの６面を樹脂で成形した樹脂ハウジング部１１で構成しているので、ハウジング１の軽量化、低価格化を図る上で有利である。その一方で、駆動モータ７，８を固定するために所要の強度が要求される部分を金属ハウジング部１２で構成しているので、ハウジング１に要求される強度を満たすことができる。また、金属ハウジング部１２を樹脂ハウジング部１１にネジ１３で固定する際には、合金製の固定座１４を予め樹脂ハウジング部１１にネジ止めしておき、金属ハウジング部１２をこの固定座１４に対してネジ止めすることで、金属ハウジング部１２に大きな負荷が加えられた場合でも樹脂ハウジング部１１に対するネジ止め強度を確保することができる。
【００２３】
前記実施例ではシャッタユニット６に接続したフレキシブル回路基板６２のリボン部６２１をシャッタユニット６の後側に沿って上下方向に湾曲させた状態で延長しているが、リボン部６２１の先端側６２２をハウジング１に対して接続する位置とが実施例と異なる場合にはリボン部６２１をシャッタユニット６の前側に沿って湾曲して延長するようにしてもよい。あるいは、水平方向に湾曲して延長するようにしてもよい。
【００２４】
なお、前記実施例では第１のレンズ及び第２のレンズを光軸方向に移動するズーム機能を有する撮像モジュールに適用しているが、電気接続が必要なシャッタユニットをレンズと共にあるいは単独で光軸方向に移動する撮像モジュールであれば本発明を同様に適用することが可能である。
【図面の簡単な説明】
【００２５】
【図１】実施例１の撮像モジュールの一部を分解した斜視図である。
【図２】撮像モジュールの部分分解斜視図である。
【図３】撮像モジュールの光軸に沿う水平方向の断面図である。
【図４】金属ハウジング部を内面下側から見た斜視図である。
【図５】樹脂ハウジング部を除いた状態の下方から見た斜視図である。
【図６】ハウジングの後端面側の分解斜視図である。
【図７】シャッタユニット及びフレキシブル回路基板の動作を説明するための模式的な図である。
【００２６】
１  ハウジング
１１  樹脂ハウジング部
１１２，１１３  逃げ窓
１１４，１１５  蓋板
１２  金属ハウジング部
２  レンズ光学系
２１  第１のレンズ
２２  第２のレンズ
２３  第３のレンズ
３  第１の回路基板
４  第２の回路基板
５  撮像素子
５１  フィルタ保持枠
５２  マスク枠
５２２  曲げ片
５３  ＬＰＦ（ローパスフィルタ）
６  シャッタユニット
６２  フレキシブル回路基板
６２１  リボン部
７，８  駆動モータ
【図１】
2007033699.tif 000003
【図２】
2007033699.tif 000004
【図３】
2007033699.tif 000005
【図４】
2007033699.tif 000006
【図５】
2007033699.tif 000007
【図６】
2007033699.tif 000008
【図７】
2007033699.tif 000009